(57)【要約】【課題】乾燥能力の限界時期を蓋開閉時に感覚的に明確に感知でき、内容物の品質保証が確実な乾燥能力インジケーター機能付蓋を提供する。【解決手段】取手板１１０の下面に栓体部１２０が嵌着して下方へ突設するプラスチック製の打栓蓋であり、取手板が下面に栓体部嵌着凹部１１１を設け、この栓体部嵌着凹部の取手板の下端内周に嵌着リング１１２を突設し、栓体部が周壁１２１上端外周に嵌着リング１２２を周設し、周壁下端内側に周壁下端に連続する封止板１２３を設け、かつ、栓体部の材質が、吸水により膨張する乾燥剤を混合する樹脂であり、容器本体１０口部１１に装着したときに、容器本体との嵌合力が経時につれて上昇する。【選択図】図１
2006273341.tif 000002
【特許請求の範囲】
【請求項１】
取手板の下面に栓体部が嵌着して下方へ突設するプラスチック製の打栓蓋であって、取手板が下面に栓体部嵌着凹部を設け、この栓体部嵌着凹部の取手板の下端内周に嵌着リングを突設し、栓体部が周壁上端外周に嵌着リングを周設し、周壁下端内側に周壁下端に連続する封止板を設け、かつ、栓体部の材質が、吸水により膨張する乾燥剤を混合する樹脂であり、容器本体口部に装着したときに、容器本体との嵌合力が経時につれて上昇することを特徴とする乾燥能力インジケーター機能付蓋。
【請求項２】
取手板の下面に栓体部が嵌着して下方へ突設するプラスチック製の打栓蓋であって、取手板が下面に栓体部嵌着凹部を設け、この栓体部嵌着凹部の取手板の下端内周に嵌着リングを突設し、栓体部が周壁上端外周に嵌着リングを周設し、周壁下端内側に周壁下端に連続し通気孔をもつ封止板を設け、かつ、栓体部の内側に、吸水により膨張する乾燥剤を混合する樹脂の成形物を密嵌し、容器本体口部に装着したときに、容器本体との嵌合力が経時につれて上昇することを特徴とする乾燥能力インジケーター機能付蓋。
【請求項３】
キャップ本体の周壁の内周面に容器本体との雌ネジをもち天板の下面下に容器本体を封止するパッキンを嵌着するプラスチック製のスクリューキャップであって、キャップ本体の周壁の内周面の天板下面近傍位置にパッキンを嵌着する嵌着リングを突設し、パッキンが容器本体を封止するインナー封止リングを下面に垂設するインナー封止リング付パッキンであり、かつ、インナー封止リング付パッキンの材質が、吸水により膨張する乾燥剤を混合する樹脂であり、容器本体口部に装着したときに、容器本体との嵌合力が経時につれて上昇することを特徴とする乾燥能力インジケーター機能付蓋。
【請求項４】
キャップ本体の周壁の内周面に容器本体との雌ネジをもち天板の下面下に容器本体を封止する栓体部を嵌着するプラスチック製のスクリューキャップであって、キャップ本体の周壁の内周面の天板下面近傍位置に栓体部を嵌着する嵌着リングを突設し、栓体部の周壁上端外周に嵌着リングを周設し、栓体部の周壁外周面の所定位置にインナー封止リングを周設し、栓体部の周壁下端内側に周壁下端に連続させて通気孔をもつ封止板を設け、かつ、栓体部の内側に、吸水により膨張する乾燥剤を混合する樹脂の成形物を密嵌し、容器本体口部に装着したときに、容器本体との嵌合力が経時につれて上昇することを特徴とする乾燥能力インジケーター機能付蓋。
【発明の詳細な説明】
【技術分野】
【０００１】
本発明は、乾燥環境を必要とする内容物を収納する容器本体に装着して使用する乾燥能力を有する蓋であり、しかも、蓋開口時に経時における乾燥能力の低下を感覚で知ることができる乾燥能力インジケーター機能付蓋に関するものである。
【背景技術】
【０００２】
従来、乾燥環境を必要とする内容物を収納する容器は、容器内を内容物に適した乾燥環境に保持するために、容器本体又は蓋に乾燥剤を収容する乾燥剤収容室を設けて、乾燥剤又は乾燥剤含有樹脂成形物を容器内に在中させていた。
【発明の開示】
【発明が解決しようとする課題】
【０００３】
ところで、容器内に在中する乾燥剤又は乾燥剤含有樹脂成形物は、使用経過にともない自ずと乾燥能力が低下するものであり、この乾燥剤の乾燥能力の程度を知るためのインジケーターとしては、従来の乾燥剤では、乾燥剤の色の変化によるものであった。例えば、シリカゲル乾燥剤は、使用につれて乾燥能力が低下すると青色から赤色へ変色し、モレキュラシーブ乾燥剤は、薄茶色から黄色へ変色した。しかしながら、この色の変化によるインジケーターは、乾燥剤の乾燥能力の低下の度合いを視覚的に感知するものであり、乾燥剤の使用限界の時期が分かりにくいことがあった。
【０００４】
本発明は、上述の従来の乾燥環境を必要とする内容物を収納する容器における問題点を解決したものであり、乾燥能力の限界時期を蓋開閉時に感覚的に明確に感知でき、内容物の品質保証が確実な乾燥能力インジケーター機能付蓋を提供するものである。
【課題を解決するための手段】
【０００５】
すなわち、本発明の第１の発明は、取手板の下面に栓体部が嵌着して下方へ突設するプラスチック製の打栓蓋であって、取手板が下面に栓体部嵌着凹部を設け、この栓体部嵌着凹部の取手板の下端内周に嵌着リングを突設し、栓体部が周壁上端外周に嵌着リングを周設し、周壁下端内側に周壁下端に連続する封止板を設け、かつ、栓体部の材質が、吸水により膨張する乾燥剤を混合する樹脂であり、容器本体口部に装着したときに、容器本体との嵌合力が経時につれて上昇することを特徴とする乾燥能力インジケーター機能付蓋である。
【０００６】
次に、本発明の第２の発明は、取手板の下面に栓体部が嵌着して下方へ突設するプラスチック製の打栓蓋であって、取手板が下面に栓体部嵌着凹部を設け、この栓体部嵌着凹部の取手板の下端内周に嵌着リングを突設し、栓体部が周壁上端外周に嵌着リングを周設し、周壁下端内側に周壁下端に連続し通気孔をもつ封止板を設け、かつ、栓体部の内側に、吸水により膨張する乾燥剤を混合する樹脂の成形物を密嵌し、容器本体口部に装着したときに、容器本体との嵌合力が経時につれて上昇することを特徴とする乾燥能力インジケーター機能付蓋である。
【０００７】
次に、本発明の第３の発明は、キャップ本体の周壁の内周面に容器本体との雌ネジをもち天板の下面下に容器本体を封止するパッキンを嵌着するプラスチック製のスクリューキャップであって、キャップ本体の周壁の内周面の天板下面近傍位置にパッキンを嵌着する嵌着リングを突設し、パッキンが容器本体を封止するインナー封止リングを下面に垂設するインナー封止リング付パッキンであり、かつ、インナー封止リング付パッキンの材質が、吸水により膨張する乾燥剤を混合する樹脂であり、容器本体口部に装着したときに、容
器本体との嵌合力が経時につれて上昇することを特徴とする乾燥能力インジケーター機能付蓋である。
【０００８】
そして、本発明の第４の発明は、キャップ本体の周壁の内周面に容器本体との雌ネジをもち天板の下面下に容器本体を封止する栓体部を嵌着するプラスチック製のスクリューキャップであって、キャップ本体の周壁の内周面の天板下面近傍位置に栓体部を嵌着する嵌着リングを突設し、栓体部の周壁上端外周に嵌着リングを周設し、栓体部の周壁外周面の所定位置にインナー封止リングを周設し、栓体部の周壁下端内側に周壁下端に連続させて通気孔をもつ封止板を設け、かつ、栓体部の内側に、吸水により膨張する乾燥剤を混合する樹脂の成形物を密嵌し、容器本体口部に装着したときに、容器本体との嵌合力が経時につれて上昇することを特徴とする乾燥能力インジケーター機能付蓋である。
【発明の効果】
【０００９】
本発明の第１の発明の乾燥能力インジケーター機能付蓋は、取手天板の下面に栓体部が嵌着して下方へ突設するプラスチック製の打栓蓋であり、乾燥環境を必要とする内容物を収納する容器本体に装着すると、容器内に入る栓体部の材質が、吸水により膨張する乾燥剤を混合する樹脂であるため、容器内の水分を栓体部が吸収し、容器内を乾燥環境に保持して内容物を保護するものであるが、栓体部は、経時における水分の吸収によって膨張してくる。この結果、容器本体と蓋との嵌合力が経時につれて上昇する。この嵌合力の上昇は、蓋開閉時に感覚的に感知することができ、この蓋の開閉のしにくさにより、蓋の乾燥能力の低下を知ることができ、容器内の内容物の品質保証が確実に保持される。また、栓体部の乾燥能力の限界つまり吸収能力が無くなったときに、蓋の栓体部の膨張から蓋を容器本体に開閉することができなくすることも可能である。
【００１０】
また、第２の発明の乾燥能力インジケーター機能付蓋は、取手天板の下面に栓体部が嵌着して下方へ突設するプラスチック製の打栓蓋であり、乾燥環境を必要とする内容物を収納する容器本体に装着すると、容器内に入る栓体部の内側に密嵌された吸水により膨張する乾燥剤を混合する樹脂の成形物が、封止板の通気孔を通して容器内の水分を栓体部が吸収し、容器内を乾燥環境に保持して内容物を保護するものであるが、栓体部の内側の乾燥剤を混合する樹脂の成形物は、経時における水分の吸収によって膨張し、それにつれて外側の栓体部も膨張してくる。この結果、容器本体と蓋との嵌合力が経時につれて上昇する。この容器本体と蓋との嵌合力の上昇は、膨張する乾燥剤を混合する樹脂の成形物と容器本体との間に栓体部があるため、第１の発明の乾燥能力インジケーター機能付蓋の場合に比較して緩和される。そして、この嵌合力の上昇は、蓋開閉時に感覚的に感知することができ、この蓋の開閉のしにくさにより、蓋の乾燥能力の低下を知ることができ、容器内の内容物の品質保証が確実に保持される。また、栓体部の乾燥能力の限界つまり吸収能力が無くなったときに、蓋の栓体部の膨張から蓋を容器本体に開閉することができなくすることも可能である。
【００１１】
また、第３の発明の乾燥能力インジケーター機能付蓋は、天板の下面下にパッキンを嵌着するプラスチック製のスクリューキャップであり、乾燥環境を必要とする内容物を収納する容器本体に装着すると、容器内に入るインナー封止リング付パッキングの材質が、吸水により膨張する乾燥剤を混合する樹脂であるため、容器内の水分をインナー封止リング付パッキングが吸収し、容器内を乾燥環境に保持して内容物を保護するものであるが、インナー封止リング付パッキングは、経時における水分の吸収によって  膨張してくる。この結果、容器本体と蓋との嵌合力が経時につれて上昇する。この嵌合力の上昇は、蓋開閉時に感覚的に感知することができ、この蓋の開閉のしにくさにより、蓋の乾燥能力の低下を知ることができ、容器内の内容物の品質保証が確実に保持される。また、インナー封止リング付パッキングの乾燥能力の限界つまり吸収能力が無くなったときに、蓋のインナー封止リング付パッキングの膨張から蓋を容器本体に開閉することができなくすることも可
能である。
【００１２】
また、第４の発明の乾燥能力インジケーター機能付蓋は、天板の下面下にインナー封止リングを周壁外周面にもつ栓体部を嵌着するプラスチック製のスクリューキャップであり、乾燥環境を必要とする内容物を収納する容器本体に装着すると、容器内に入る栓体部の内側に密嵌された吸水により膨張する乾燥剤を混合する樹脂の成形物が、封止板の通気孔を通して容器内の水分を栓体部が吸収し、容器内を乾燥環境に保持して内容物を保護するものであるが、栓体部の内側の乾燥剤を混合する樹脂の成形物は、経時における水分の吸収によって膨張し、それにつれて外側の栓体部も膨張してくる。この結果、容器本体と蓋との嵌合力が経時につれて上昇する。この嵌合力の上昇は、蓋開閉時に感覚的に感知することができ、この蓋の開閉のしにくさにより、蓋の乾燥能力の低下を知ることができ、容器内の内容物の品質保証が確実に保持される。また、栓体部の乾燥能力の限界つまり吸収能力が無くなったときに、蓋の栓体部の膨張から蓋を容器本体に開閉することができなくすることも可能である。
【発明を実施するための最良の形態】
【００１３】
本発明の乾燥能力インジケーター機能付蓋は、センサーチップ（血糖値、タンパク値、各種成分検出紙など）容器、健康食品容器、医薬品容器などの乾燥環境を必要とする内容物を収納する容器本体に装着して使用する蓋である。蓋の構成部材の容器内側に来る部材が、吸水により膨張する乾燥剤を混合する樹脂の成形物であり、この成形物が容器内の水分を吸収して容器内を乾燥環境に維持するものである。吸水により膨張する部材により、蓋と容器本体との嵌合力が経時につれて上昇し、蓋の容器本体に対する開閉のしにくさにより、蓋の乾燥能力の低下を知ることができる。
【００１４】
次に、本発明の乾燥能力インジケーター機能付蓋の実施形態１乃至４について、図を用いて説明する。
【００１５】
まず、実施形態１の乾燥能力インジケーター機能付蓋（１００）の構造は、図１（ａ）に示すように、取手板（１１０）の下面に栓体部（１２０）が嵌着して下方へ突設するプラスチック製の打栓蓋である。取手板は、下面に栓体部嵌着凹部（１１１）を設け、この栓体部嵌着凹部の取手板の下端内周に栓体部を嵌着するための嵌着リング（１１２）を突設するものである。栓体部は、周壁（１２１）上端外周に取手板に嵌着するための嵌着リング（１２２）を周設し、周壁下端内側に周壁下端に連続する封止板（１２３）を設けるものである。そして、取手板は、ポリプロピレン、ポリエチレンなどの容器の使用目的に合わせた樹脂を用いて、射出成形法により作製するものであり、栓体部は、吸水により膨張する乾燥剤を混合する樹脂を用いて、射出成形法により作製するものである。乾燥剤としては、酸化カルシウムなどの吸水すると膨張する化学反応系乾燥剤を使用する。樹脂に混合する乾燥剤の量は、２０〜６０重量％であるが、４０〜６０重量％が望ましい。乾燥剤の量が、２０重量％未満では、吸水したときに必要とする膨張が得られないことがあり。６０重量％を越えると柔軟弾力性がなくなり亀裂を発生することがある。乾燥剤の量及び厚みを調整することにより、容器の使用目的にあった吸水性及び膨張性を得ることができる。樹脂としては、直鎖状低密度ポリエチレン、低密度ポリエチレン、高密度ポリエチレン、ポリプロピレンなどの単体又はブレンド樹脂、この他、エチレン・プロピレンゴム、エチレン・プロピレン・ジエンゴム、シリコーンゴム、ブタジエンゴムなどを使用することができる。なお、図１（ａ）に示すように、使用するときに扱い易くするために、取手板（１１０）の外周面に、縦のローレット目（１１３）を設けてもよい。
【００１６】
上述した実施形態１の乾燥能力インジケーター機能付蓋（１００）は、図１（ｂ）に示すように、容器本体（１０）の口部（１１）に装着したときに、栓体部（１２０）が、吸水により膨張する乾燥剤を混合する樹脂でできているため、経時につれて容器内の水分を
吸収して膨張（図では、矢印で示す）し、蓋と容器本体との嵌合力が上昇してくる。この結果、蓋を容器本体からの開閉するときに、蓋が開閉しにくくなる。この蓋の開閉しにくさは感覚的に感知することができるので、この蓋の開閉のしにくさから、蓋の乾燥能力の低下を知ることができる。なお、樹脂に混合する乾燥剤の量及び栓体部の厚みを調整することにより、栓体部の乾燥能力の限界つまり吸収能力が無くなったときに、蓋の栓体部の膨張から蓋を容器本体に開閉することができなくすることも可能である。
【００１７】
次に、実施形態２の乾燥能力インジケーター機能付蓋（２００）の構造は、図２（ａ）に示すように、実施形態１と同様に、取手板（２１０）の下面に栓体部（２２０）が嵌着して下方へ突設するプラスチック製の打栓蓋である。取手板は、下面に栓体部嵌着凹部（１１１）を設け、この栓体部嵌着凹部の取手板の下端内周に栓体部を嵌着するための嵌着リング（２１２）を突設するものである。栓体部は、周壁（２２１）上端外周に取手に嵌着するための嵌着リング（２２２）を周設し、周壁下端内側に周壁下端に連続し通気孔（２２４）をもつ封止板（２２３）を設け、栓体部の内側に、吸水により膨張する乾燥剤を混合する樹脂の成形物（２３０）を密嵌するものである。そして、取手板及び栓体部は、ポリプロピレン、ポリエチレンなどの容器の使用目的に合わせた樹脂を用いて、射出成形法により作製するものであり、乾燥剤を混合する樹脂の成形物は、吸水により膨張する乾燥剤を混合する樹脂を用いて、射出成形法により所定形状に作製するものである。その他は、実施形態１と同様である。
【００１８】
上述した実施形態２の乾燥能力インジケーター機能付蓋（２００）は、図２（ｂ）に示すように、容器本体（１０）の口部（１１）に装着したときに、栓体部（１２０）の内側に吸水により膨張する乾燥剤を混合する樹脂の成形物（２３０）が密嵌しているため、経時につれて、容器内の水分を、封止板（２２３）の通気孔（２２４）を通して、乾燥剤を混合する樹脂の成形物が吸収して膨張（図では、矢印で示す）し、蓋と容器本体との嵌合力が上昇してくる。この結果、蓋を容器本体からの開閉するときに、蓋が開閉しにくくなる。この蓋の開閉しにくさは感覚的に感知することができるので、この蓋の開閉のしにくさから、蓋の乾燥能力の低下を知ることができる。その他は、実施形態１と同様である。
【００１９】
次に、実施形態３の乾燥能力インジケーター機能付蓋（３００）の構造は、図３（ａ）に示すように、キャップ本体（３１０）の周壁（３１２）の内周面に容器本体（１０）の雄ネジ（１３）との雌ネジ（３１３）をもち天板（３１１）の下面下に容器本体を封止するパッキン（３２０）を嵌着するプラスチック製のスクリューキャップである。キャップ本体は、周壁の内周面の天板下面近傍位置にパッキンを嵌着する嵌着リング（３１４）を突設するものである。パッキンは、容器本体を封止するインナー封止リング（３２１）を下面に垂設するインナー封止リング付パッキンである。そして、取手板は、ポリプロピレン、ポリエチレンなどの容器の使用目的に合わせた樹脂を用いて、射出成形法により作製するものであり、インナー封止リング付パッキンは、吸水により膨張する乾燥剤を混合する樹脂を用いて、射出成形法により作製するものである。なお、図３（ａ）に示すように、使用するときに扱い易くするために、キャップ本体（３１０）の周壁（３１２）の外周面に、縦のローレット目（３１５）を設けるとよい。その他は、実施形態１と同様である。
【００２０】
上述した実施形態３の乾燥能力インジケーター機能付蓋（３００）は、図３（ｂ）に示すように、容器本体（１０）の口部（１１）に装着したときに、インナー封止リング付パッキン（３２０）が、吸水により膨張する乾燥剤を混合する樹脂でできているため、経時につれて容器内の水分を吸収して膨張（図では、矢印で示す）し、蓋と容器本体との嵌合力が上昇してくる。この結果、蓋を容器本体からの開閉するときに、蓋が開閉しにくくなる。この蓋の開閉しにくさは感覚的に感知することができるので、この蓋の開閉のしにくさから、蓋の乾燥能力の低下を知ることができる。その他は、実施形態１と同様である。
【００２１】
次に、実施形態４の乾燥能力インジケーター機能付蓋（４００）の構造は、図４（ａ）に示すように、キャップ本体（４１０）の周壁（４１２）の内周面に容器本体（１０）の雄ネジ（１３）との雌ネジ（４１３）をもち天板（４１１）の下面下に容器本体を封止する栓体部（４２０）を嵌着するプラスチック製のスクリューキャップである。キャップ本体は、周壁の内周面の天板下面近傍位置に栓体部を嵌着する嵌着リング（４１４）を突設するものである。栓体部は、周壁（２２１）上端外周に取手に嵌着するための嵌着リング（２２２）を周設し、周壁外周面の所定位置にインナー封止リング（４２５）を周設し、周壁下端内側に周壁下端に連続し通気孔（４２４）をもつ封止板（４２３）を設け、栓体部の内側に、吸水により膨張する乾燥剤を混合する樹脂の成形物（４３０）を密嵌するものである。そして、取手板及び栓体部は、ポリプロピレン、ポリエチレンなどの容器の使用目的に合わせた樹脂を用いて、射出成形法により作製するものであり、乾燥剤を混合する樹脂の成形物は、吸水により膨張する乾燥剤を混合する樹脂を用いて、射出成形法により所定形状に作製するものである。その他は、実施形態１と同様である。              
【００２２】
上述した実施形態４の乾燥能力インジケーター機能付蓋（４００）は、図４（ｂ）に示すように、容器本体（１０）の口部（１１）に装着したときに、栓体部（４２０）の内側に吸水により膨張する乾燥剤を混合する樹脂の成形物（４３０）が密嵌しているため、経時につれて、容器内の水分を、封止板（４２３）の通気孔（４２４）を通して、乾燥剤を混合する樹脂の成形物が吸収して膨張（図では、矢印で示す）し、蓋と容器本体との嵌合力が上昇してくる。この結果、蓋を容器本体からの開閉するときに、蓋が開閉しにくくなる。この蓋の開閉しにくさは感覚的に感知することができるので、この蓋の開閉のしにくさから、蓋の乾燥能力の低下を知ることができる。その他は、実施形態１と同様である。
【図面の簡単な説明】
【００２３】
【図１】本発明の実施形態１の乾燥能力インジケーター機能付蓋を容器本体に装着して容器内を封止したときの状態を示す断面図であり、（ａ）は、初期の状態であり、（ｂ）は、経時後の状態を示す。
【図２】本発明の実施形態２の乾燥能力インジケーター機能付蓋を容器本体に装着して容器内を封止したときの状態を示す断面図であり、（ａ）は、初期の状態であり、（ｂ）は、経時後の状態を示す。
【図３】本発明の実施形態３の乾燥能力インジケーター機能付蓋を容器本体に装着して容器内を封止したときの状態を示す断面図であり、（ａ）は、初期の状態であり、（ｂ）は、経時後の状態を示す。
【図４】本発明の実施形態３の乾燥能力インジケーター機能付蓋を容器本体に装着して容器内を封止したときの状態を示す断面図であり、（ａ）は、初期の状態であり、（ｂ）は、経時後の状態を示す。
【符号の説明】
【００２４】
１０……容器本体
１１……口部
１２……周壁
１３……雄ネジ
１４……底板
１００，２００，３００，４００……乾燥能力インジケーター機能付蓋
１１０，２１０……取手板
１１１，２１１……栓体部嵌着凹部
１１２，２１２，１２２，２２２，３１４，４１４，４２２…嵌着リング
１１３，２１３，３１５，４１５……ローレット目
１２０，２２０，４２０……栓体部
１２１，２２１，４２１，３１２，４１２……周壁
１２３，２２３，４２３……封止板
２２４，４２４……通気孔
２３０，４３０……乾燥剤を混合する樹脂の成形物
３１０，３１０，４１０……キャップ本体
３１１，４１１……天板
３１３，４１３……雌ネジ
３２０……パッキン
３２１，４２５……インナー封止リング
【図１】
2006273341.tif 000003
【図２】
2006273341.tif 000004
【図３】
2006273341.tif 000005
【図４】
2006273341.tif 000006